(57)【要約】      （修正有）【課題】主に顔、胸、腋からの発汗を抑制することができる制汗用具を提供する。【解決手段】制汗用具１０は、人の胸部に巻き付けて装着される基体１２の内面に押圧突起１４が配置され、基体を人の胸部に装着したときに、基体が人の胸部を締め付けるとともに、押圧突起が人の胸部における汗止めツボを押圧する。【選択図】図１
0003197719.tif 000002
【実用新案登録請求の範囲】
【請求項１】
人の胸部に巻き付けて装着される基体の中央部の左右にそれぞれ形成された複数の取付孔のいずれかに着脱可能に挿入された押圧突起が配置され、前記基体を人の胸部に装着したときに、前記基体が人の胸部を締め付けるとともに、前記押圧突起が人の胸部における汗止めツボを押圧することを特徴とする制汗用具。
【請求項２】
前記汗止めツボは、人の胸部における左乳首の上方および下方から左腋下に至る左領域ならびに右乳首の上方および下方から右腋下に至る右領域に存在する単数または複数の汗止めツボであることを特徴とする請求項１に記載の制汗用具。
【考案の詳細な説明】
【技術分野】
【０００１】
本考案は、人の胸部に装着することにより、主に顔、胸、腋からの発汗を抑制する制汗用具に関する。
【背景技術】
【０００２】
従来、制汗用具として、経糸と緯糸とを用いて作られる織物から成り、使用者の前頭部に当てる部分を中心に織目がその左右両側に向かって漸次小さく設定された鉢巻と、この鉢巻に吸収された汗の蒸発を促すための送風機とを具備して構成されるものが提案されている（特許文献１・請求項１）。
【０００３】
特許文献１の制汗用具は、スポーツや肉体労働を行うに際して汗が眼に入ることを心配せずしてスポーツや労働に集中することができるものである（特許文献１・段落００２４）。
【先行技術文献】
【特許文献】
【０００４】
【特許文献１】特開２００２−２２０７６２号公報
【考案の概要】
【考案が解決しようとする課題】
【０００５】
しかし、特許文献１の制汗用具は、顔、胸、腋からの発汗を抑制する機能を有するものではなかった。
【０００６】
本考案は、上記事情に鑑みてなされたもので、主に顔、胸、腋からの発汗を抑制することができる制汗用具を提供することを目的とする。
【課題を解決するための手段】
【０００７】
本考案は、前記目的を達成するため、人の胸部に巻き付けて装着される基体の中央部の左右にそれぞれ形成された複数の取付孔のいずれかに着脱可能に挿入された押圧突起が配置され、前記基体を人の胸部に装着したときに、前記基体が人の胸部を締め付けるとともに、前記押圧突起が人の胸部における汗止めツボを押圧することを特徴とする制汗用具を提供する。
【０００８】
顔、胸、腋などからの発汗を抑制する方法として、人の胸部を布などで締め付ける方法や、人の胸部における汗止めツボを押圧する方法がある。本考案の制汗用具は、基体を人の胸部に装着したときに、基体が人の胸部を締め付けるとともに、押圧突起が人の胸部における汗止めツボを押圧するので、基体による締め付けおよび押圧突起による圧迫で生じる相乗的な皮膚圧反射作用によって、主に顔、胸、腋からの発汗を抑制することができる。
【０００９】
本考案において、押圧突起により押圧する汗止めツボは、人の胸部における左乳首の上方および下方から左腋下に至る左領域ならびに右乳首の上方および下方から右腋下に至る右領域に存在する単数または複数の汗止めツボとすることができる。
【００１０】
本考案において、基体の形状、材質に限定はなく、人の胸部に巻き付けたときに胸部を締め付けることができるものであればどのようなものでもよい。具体的には、後述する実施形態で示したベルト状基体の他、ブラジャー、コルセット等の補正下着類、キャミソール等の下着類、帯・紐・さらし類、リュックサックなどを基体とすることができる。
【００１１】
本考案において、押圧突起の形状、材質に限定はなく、人の胸部における汗止めツボを押圧できるものであればどのようなものでもよい。具体的には、形状としては、後述する実施形態で示した半球状や略半楕円球状などの種々の凸型形状、あるいは円筒状や楕円筒状の種々の凹型形状等を挙げることができる。また、材質としては、後述する実施形態で示したシリコーン樹脂の他、種々のプラスチック類、金属類、木質材料等を挙げることができる。
【考案の効果】
【００１２】
本考案の制汗用具は、主に顔、胸、腋からの発汗を抑制することができる。しかも、押圧突起を取り付ける取付孔を選択することにより、汗止めツボを選択的かつ効果的に押圧することが可能となる。
【図面の簡単な説明】
【００１３】
【図１】本考案に係る制汗用具に関連する参考例を示すもので、（ａ）は側面図、（ｂ）は内面図、（ｃ）は外面図である。
【図２】女性の胸部における汗止めツボの存在領域を示す図である。
【図３】男性の胸部における汗止めツボの存在領域を示す図である。
【図４】本考案に係る制汗用具の実施形態を示すもので、（ａ）は側面図、（ｂ）は内面図、（ｃ）は外面図である。
【考案を実施するための形態】
【００１４】
以下、本考案につき図面を参照して詳しく説明する。
【００１５】
（参考例）
図１は本考案に係る制汗用具に関連する参考例を示すもので、（ａ）は側面図、（ｂ）は内面図、（ｃ）は外面図である。
【００１６】
本例の制汗用具１０において、１２は基体、１４は押圧突起を示す。基体１２は、ベルト状のもので、その寸法に制限はないが、通常、長さａは７００〜１１００ｍｍ程度、幅ｂは１０〜３０ｍｍ程度、厚さｃは０．５〜２ｍｍ程度である。基体１２の材質に限定はなく、例えばプラスチック類、布類、皮革類等で形成することができるが、適度な柔軟性および伸縮性を有する点で、ポリエステル系繊維織布あるいはシリコーン樹脂で形成することが好適である。
【００１７】
また、基体１２の内面端部にはオス面ファスナー１６、外面端部にはメス面ファスナー１８が固着されており、これら面ファスナー１６、１８を係合させることにより、基体１２を人の胸部に巻き付けて装着し、基体１２で人の胸部を締め付けることができるようになっている。
【００１８】
押圧突起１４は、略半球状のもので、平面部２０を基体１２の内面に接着することにより、基体１２に固定されている。本例では、押圧突起１４は、基体１２の中央部の左右にそれぞれ３個ずつ固定されているが、押圧突起の数や配置箇所はこれに限定されるものではない。また、押圧突起１４の外径ｄは５〜１５ｍｍ、より好ましくは８〜１２ｍｍ、厚さｅは３〜１０ｍｍ、より好ましくは５〜８ｍｍとすることが適当である。ただし、押圧突起１４の形状は半球状に限定されるものではなく、汗止めツボを押圧して圧迫することができるものであればどのような形状でもよい。押圧突起１４の材質に限定はないが、適度な柔軟性を有する点で、シリコーン樹脂を好適に用いることができる。
【００１９】
本例の制汗用具１０は、基体１２を人の胸部に装着したときに、基体１２が人の胸部を締め付けるとともに、押圧突起１４が人の胸部における汗止めツボを押圧することにより、皮膚圧反射作用によって主に顔、胸、腋からの発汗を抑制するものである。この場合、汗止めツボは、人によって位置は異なることがあるが、通常、図２（女性）、図３（男性）に示すように、人の胸部における左乳首の上方および下方から左腋下に至る左領域３０ならびに右乳首の上方および下方から右腋下に至る右領域３２に存在する。したがって、押圧突起１４により押圧する汗止めツボは、上記領域３０、３２から選択すればよい。
【００２０】
（実施形態）
図４は本考案に係る制汗用具の実施形態を示すもので、（ａ）は側面図、（ｂ）は内面図、（ｃ）は外面図である。
【００２１】
本例の制汗用具４０において、４２は基体、４４は押圧突起を示す。基体４２は、第１実施形態の基体１２と同様の材質、寸法もので、中央部の左右にそれぞれ複数（本例では６個ずつ）の取付孔４５が形成されている。
【００２２】
また、基体４２の内面端部にはオス面ファスナー４６、外面端部にはメス面ファスナー４８が固定されており、これら面ファスナー４６、４８を係合させることにより、基体４２を人の胸部に巻き付けて装着し、基体４２で人の胸部を締め付けることができるようになっている。
【００２３】
押圧突起４４は、柔軟性を有するシリコーン樹脂からなるもので、実施形態１の押圧突起１４と同様の寸法の略半球状頭部４４ａと、円柱状軸部４４ｂと、円板状抜け止め部４４ｃとが一体に成形されたものである。押圧突起４４は、軸部４４ｂを基体４２の取付孔４５に挿入することにより、基体４２に着脱可能に取り付けることができるものであり、本例の制汗用具４０では、押圧突起４４を取り付ける取付孔４５を選択することにより、汗止めツボを選択的かつ効果的に押圧することが可能となる。なお、本例において、押圧突起４４および取付孔４５の数に限定はない。
【００２４】
本例の制汗用具４０は、基体４２を人の胸部に装着したときに、基体４２が人の胸部を締め付けるとともに、押圧突起４４が人の胸部における汗止めツボを押圧することにより、皮膚圧反射作用によって主に顔、胸、腋からの発汗を抑制するものである。この場合、汗止めツボは、前述した領域３０、３２から選択すればよい。
【符号の説明】
【００２５】
１  制汗用具
１２  基体
１４  押圧突起
３０  左領域
３２  右領域
４０  制汗用具
４２  基体
４４  押圧突起
【図１】
0003197719.tif 000003
【図２】
0003197719.tif 000004
【図３】
0003197719.tif 000005
【図４】
0003197719.tif 000006